(57)【要約】【課題】  認証媒体または認証番号を不正に取得した者がその顔認証情報などの顔画像情報を登録する問題を解決できる顔画像情報の登録システムを提案する。【解決手段】  利用者の登録用画像を利用拠点で撮影し、その顔画像情報を利用者データベースに登録するシステムにおいて、登録有効期間と登録有効回数を指定し、これらが登録条件を満足する場合に限り、顔画像情報の登録を行なう。または、利用拠点から離れた管理拠点において、登録用顔画像情報と照合用顔画像情報の照合を行ない、顔画像情報の登録または抹消を行なう。【選択図】図９
2006190137.tif 000002
【特許請求の範囲】
【請求項１】
利用拠点に位置する利用者の登録用顔画像を前記利用拠点において撮影し、利用者データベースに前記登録用顔画像に基づく顔画像情報の登録を行なう顔画像情報の登録システムであって、利用者に対する登録有効期間と登録有効回数とを指定し、前記登録有効期間と登録有効回数を満足する場合に限り、前記顔画像情報の登録を行なうようにしたことを特徴とする顔画像情報の登録システム。
【請求項２】
請求項１記載の顔画像情報の登録システムであって、前記登録有効期間と登録有効回数が、管理データベースに記録されることを特徴とする顔画像情報の登録システム。
【請求項３】
請求項１記載の顔画像情報の登録システムであって、前記管理データベースが前記利用拠点から離れた管理拠点に設置されることを特徴とする顔画像情報の登録システム。
【請求項４】
請求項１記載の顔画像情報の登録システムであって、前記管理データベースが前記利用拠点に設置されることを特徴とする顔画像情報の登録システム。
【請求項５】
利用拠点と管理拠点を備え、前記利用拠点に位置する利用者の登録用顔画像を前記利用拠点において撮影し、利用者データベースに前記登録用顔画像に基づく顔画像情報の登録を行なう顔画像情報の登録システムであって、前記管理拠点に、前記登録用顔画像に対応した登録用顔画像情報とその利用者について予め登録された照合用顔画像情報とを並べて表示する表示手段、および前記登録用顔画像情報と前記照合用顔画像情報との照合結果を入力する入力手段が設置され、前記入力手段から前記登録用顔画像情報と前記照合用顔画像情報との一致が入力された場合に限り、前記顔画像情報の登録を行なうようにしたことを特徴とする顔画像情報の登録システム。
【請求項６】
利用拠点と管理拠点を備え、前記利用拠点に位置する利用者の登録用顔画像を前記利用拠点において撮影し、利用者データベースに前記登録用顔画像に基づく顔画像情報の登録を行なう顔画像情報の登録システムであって、前記管理拠点に、前記登録用顔画像に対応した登録用顔画像情報とその利用者について予め登録された照合用顔画像情報とを並べて表示する表示手段、および前記登録用顔画像情報と前記照合用顔画像情報との照合結果を入力する入力手段が設置され、前記入力手段から前記登録用顔画像情報と前記照合用顔画像情報との不一致が入力された場合に、前記顔画像情報の登録を抹消することを特徴とする顔画像情報の登録システム。
【請求項７】
請求項１から６のいづれか１項記載の顔画像情報の登録システムであって、前記利用者ベータベースが前記利用拠点に設置されることを特徴とする顔画像情報の登録システム。
【請求項８】
請求項１から７のいずれか１項記載の顔画像情報の登録システムであって、前記利用拠点に位置する利用者を認証媒体により確認することを特徴とする顔画像情報の登録システム。
【請求項９】
請求項８記載の顔画像情報の登録システムであって、前記認証媒体としてＩＤカードを使用することを特徴とする顔画像情報の登録システム。
【請求項１０】
請求項８記載の顔画像情報の登録システムであって、前記認証媒体としてバーコードを使用することを特徴とする顔画像情報の登録システム。
【請求項１１】
請求項１から７のいづれか１項記載の顔画像情報の登録システムであって、利用者によるＩＤ番号または暗証番号に入力により、前記利用拠点に位置する利用者を確認することを特徴とする顔画像情報の登録システム。
【請求項１２】
請求項１から７のいづれか１項記載の顔画像情報の登録システムであって、前記管理拠点からの遠隔操作により、前記利用拠点に位置する利用者を確認することを特徴とする顔画像情報の登録システム。
【請求項１３】
請求項１から１２のいづれか１項記載の顔画像情報の登録システムを用いた入退室管理システムであって、前記利用拠点で利用者の顔画像を撮影し、少なくともこの撮影した顔画像が、登録ずみの前記顔画像情報と一致するときに、扉が開錠されることを特徴とする入退室管理システム。
【発明の詳細な説明】
【技術分野】
【０００１】
この発明は、顔画像情報の登録システムおよびこれを用いた入退室管理システムに関するものである。
【背景技術】
【０００２】
人の指紋、虹彩、静脈、顔などの身体的特徴を利用した生体認証技術、およびそれを利用した入退室管理システムが数多く実用化されている。生体認証技術の中で、顔認証技術は、普段見られている顔を利用しているのでプライバシー上の心理的抵抗が少なく、また手または指をかざすなどの動作が不要でカメラの前に立つだけでよいという利便性の高さが、他の生体認証技術に対する利点とされている。
【０００３】
この顔認証による入退室管理システムの１つの形態では、特定の権限を持つシステムの管理者の操作により、照合される利用者の顔画像をカメラなどで撮影し、その顔画像から得られる顔認証情報をシステム内の利用者データベースなどに記録することにより、利用者の「登録」を行う。
【０００４】
また、顔認証による入退室管理システムの他の形態として、ＩＤカードなどの認証媒体またはＩＤ番号などの認証番号を用いて利用者が単独で顔認証情報を登録する技術が、特開２００４−２６５２３１号公報に開示されている。この特開２００４−２６５２３１号公報に開示された技術によれば、管理者の立ち会いの下で事前に顔画像を登録する手間を省くことができる。
【０００５】
【特許文献１】特開２００４−２６５２３１号公報
【発明の開示】
【発明が解決しようとする課題】
【０００６】
しかし、特開２００４−２６５２３１号公報に開示された技術では、登録における利便性が確保されるものの、正当な利用者が紛失した認証媒体を捨うなどして、不正に認証媒体または認証番号を取得した他の利用者が、正当な利用者に成りすまして顔認証情報を登録し、その後もその顔認証情報を利用して不正に入退室を行い得るという問題がある。
【０００７】
この発明は、上記問題を解決することのできる顔認証情報などの顔画像情報の登録システムおよびそれを用いた入退室管理システムを提案するものである。
【課題を解決するための手段】
【０００８】
この発明の第１の観点による顔画像情報の登録システムは、利用拠点に位置する利用者の登録用顔画像を前記利用拠点において撮影し、利用者データベースに前記登録用顔画像に基づく顔画像情報の登録を行なう顔画像情報の登録システムであって、利用者に対する登録有効期間と登録有効回数とを指定し、前記登録有効期間と登録有効回数を満足する場合に限り、前記顔画像情報の登録を行なうようにしたことを特徴とする。
【０００９】
また、この発明の第２の観点による顔画像情報の登録システムは、利用拠点と管理拠点を備え、前記利用拠点に位置する利用者の登録用顔画像を前記利用拠点において撮影し、利用者データベースに前記登録用顔画像に基づく顔画像情報の登録を行なう顔画像情報の登録システムであって、前記管理拠点に、前記登録用顔画像に対応する登録用顔画像情報とその利用者について予め登録された照合用顔画像情報とを並べて表示する表示手段、および前記登録用顔画像情報と前記照合用顔画像情報との照合結果を入力する入力手段が設置され、前記入力手段から前記登録用顔画像情報と前記照合用顔画像情報との一致が入力された場合に限り、前記顔画像情報の登録を行なうようにしたことを特徴とする。
【００１０】
また、この発明の第３の観点による顔画像情報の登録システムは、利用拠点と管理拠点を備え、前記利用拠点に位置する利用者の登録用顔画像を前記利用拠点において撮影し、利用者データベースに前記登録用顔画像に基づく顔画像情報の登録を行なう顔画像情報の登録システムであって、前記管理拠点に、前記登録用顔画像に対応する登録用顔画像情報とその利用者について予め登録された照合用顔画像情報とを並べて表示する表示手段、および前記登録用顔画像情報と前記照合用顔画像情報との照合結果を入力する入力手段が設置され、前記入力手段から前記登録用顔画像情報と前記照合用顔画像情報との不一致が入力された場合に、前記顔画像情報の登録を抹消することを特徴とする顔画像情報の登録システム。
【発明の効果】
【００１１】
この発明の第１の観点による顔画像情報の登録システムでは、利用者に対する登録有効期間と登録有効回数とを指定し、登録有効期間と登録有効回数を満足する場合に限り、顔画像情報の登録を行なうようにしたので、不正に認証媒体または認証番号を取得した他の利用者が、正当な利用者に成りすまして顔画像情報を登録するという問題を解決できる。
【００１２】
また、この発明の第２の観点による顔画像情報の登録システムでは、管理拠点に、登録用顔画像情報とその利用者について予め登録された照合用顔画像情報とを並べて表示する表示手段、および登録用顔画像情報と照合用顔画像情報との照合結果を入力する入力手段が設置され、入力手段から登録用顔画像情報と照合用顔画像情報との一致が入力された場合に限り、顔画像情報の登録を行なうようにしたので、不正に認証媒体または認証番号を取得した他の利用者が、正当な利用者に成りすまして顔画像情報を登録するという問題を解決できる。
【００１３】
また、この発明の第３の観点による顔画像情報の登録システムでは、管理拠点に、登録用顔画像情報とその利用者について予め登録された照合用顔画像情報とを並べて表示する表示手段、および登録用顔画像情報と照合用顔画像情報との照合結果を入力する入力手段が設置され、入力手段から登録用顔画像情報と照合用顔画像情報との不一致が入力された場合に、顔画像情報の登録を抹消するようにしたので、不正に認証媒体または認証番号を取得した他の利用者が、正当な利用者に成りすまして顔画像情報を登録し、その後もその顔画像情報を利用するという問題を解決できる。
【発明を実施するための最良の形態】
【００１４】
以下この発明のいくつかの実施の形態について、図面を参照して説明する。
【００１５】
実施の形態１．
図１〜図９は、この発明による顔画像情報の登録システムの実施の形態１を用いた入退室管理システムの実施の形態１を示す。図１はその全体構成図、図２はその認証・登録端末の構成図、図３かその管理端末の構成図、図４はその利用者データベースの構成図、図５はその管理データベースの構成図、図６はそのＩＤ番号による照合動作のフローチャート、図７はその顔画像による照合動作のフローチャート、図８はその登録機能のフローチャート、図９はその管理端末による管理動作のフローチャートである。
【００１６】
まず、図１を参照して入退室管理システムの実施の形態１の全体構成について説明する。この実施の形態１による入退室管理システムは、この発明による顔画像情報の登録システムの実施の形態１を含んでいる。この実施の形態１の顔画像情報の登録システムは、この発明の第１の観点による顔画像情報の登録システムである。
【００１７】
実施の形態１の入退室管理システムは、管理拠点１と、この管理拠点１から離れた利用拠点２を有する。管理拠点１は、管理者３を含み、この管理拠点１には、管理端末１００が設置される。利用拠点２は、扉１４と、この扉１４を通過して入退室する利用者４を含んでいる。扉１４には、電気錠１５が取付けられ、この電気錠１５により扉１４が施錠され、また開錠される。
【００１８】
利用者４は、認証媒体１１を所持するものとする。この認証媒体１１には、磁気カード、接触型ＩＣカード、非接触型ＩＣカードなどのＩＤカード、またはバーコードを印刷したバーコードカードが用いられる。ＩＤカードには、利用者４の特定のＩＤ情報が記録され、バーコードカードには、利用者４の特定のバーコード情報が印刷される。しかし、この認証媒体１１に代わって、利用者４にＩＤ番号、暗証番号などの認証番号を与えることもでき、この場合には、利用者４はこの認証番号を記憶しているものとする。
【００１９】
利用拠点２には、認証・登録端末２００が設置される。この認証・登録端末２００は、ネットワーク６により、管理端末１００に接続される。この認証・登録端末２００は、利用者４に対する認証機能と、登録機能を実行する。認証機能は、登録済みの利用者４を認証する機能であり、認証が得られれば、扉１４を開錠し、扉１４を通じて利用者４の入退室を許可する。この認証機能は、認証・登録端末２００が単独で実行する機能である。登録機能は、未登録の利用者４に対して、その登録用顔画像に基づく顔認証情報などの顔画像情報の登録を行なう機能であり、認証・登録端末２００は管理端末１００と情報を交換しながら登録機能を実行する。
【００２０】
認証・登録端末２００は、制御装置１０、認証媒体読取手段１３、カメラ１２を有する。認証媒体読取手段１３は、利用者４が所持する認証媒体１１に記録されたＩＤ情報を読取るカードリーダまたはバーコード情報を読取るバーコードリーダである。利用者４が認証媒体１１を所持する代わりに、認証番号を記憶する場合には、認証媒体読取手段１３に代わって、テンキーを有する認証番号入力手段が設置される。カメラ１２は、利用者４の顔画像を電子情報として撮影するものである。認証媒体読取手段１３または認証番号入力手段と、カメラ１２は、制御装置１０に電気的に接続されている。
【００２１】
次に、利用拠点２に設置された認識・登録端末１００について、図２を参照して具体的に説明する。この認証・登録端末１００は、図１に示した制御装置１０、カメラ１２、認証媒体読取手段１３に加え、さらに登録スイッチ３０と登録結果表示灯３１と照合結果表示灯３２を有する。
【００２２】
認証・登録端末２００は、制御装置１０を中心にして構成される。この制御装置１０は、コンピュータを用いて構成され、４つの機能ブロック２０〜２３と、利用者データベース２４を有する。第１の機能ブロック２０は、認証情報取得機能ブロックであり、第２の機能ブロック２１は、顔検出機能ブロックであり、第３の機能ブロック２２は、登録機能ブロックであり、第４の機能ブロック２３は、照合機能ブロックである。
【００２３】
認証情報取得機能ブロック２０は、認証媒体読取手段１３または認証番号入力手段に接続され、この認証媒体読取手段１３または認証番号入力手段を用いて読取ったＩＤ情報、バーコード情報または認証番号を登録機能ブロック２２および照合機能ブロック２３に供給する。顔検出機能ブロック２１は、カメラ１２に接続され、このカメラ１２が撮影した画像の中から、人の顔である可能性の高い顔画像を切出し、この顔画像を登録機能ブロック２２および照合機能ブロック２３に供給する。なお、カメラ１２が捉えた画像から、人の顔部分の顔画像を抽出する技術は、例えば特開平１１−８５９８８号公報に開示されているので、説明を省略する。
【００２４】
登録機能ブロック２２は、登録を希望する未登録の利用者４に対する登録機能を実行する機能ブロックである。この登録機能ブロック２２はネットワーク６を介して管理端末１００と接続され、管理端末１００と情報を交換しながら登録機能を実行する。登録機能ブロック２２は、登録スイッチ３０および登録結果表示灯３１と接続される。登録スイッチ３０は、登録を希望する利用者４により押し下げられ、登録機能ブロック２２はこの登録スイッチ３０が押し下げられることにより、登録機能を実行する。登録結果表示灯３１は、登録機能ブロック２２による登録機能の結果を表示するもので、登録成功または登録失敗の結果を表示する。
【００２５】
照合機能ブロック２３は、登録済みの利用者４に対する照合機能を実行する機能ブロックである。この照合機能ブロック２３は、認証媒体読取手段１３または認証情報入力手段からのＩＤ番号、と、顔検出機能ブロック２１からの顔画像を受けて、電気錠１５の開錠を行なうかどうかの判定を行ない、電気錠１５を操作する。この照合機能ブロック２３には、配線１６を介して電気錠１５が接続され、また照合結果表示灯３２が接続される。照合機能ブロック２３による照合結果が照合成功ならば、照合結果表示灯３２が照合成功を表示し、電気錠１５が開錠される。その照合結果が照合失敗ならば、照合結果表示灯３２が照合失敗を表示し、電気錠１５の開錠は行われない。
【００２６】
制御装置１０には、利用者データベース２４が設置される。この利用者データベース２４は制御装置１０が入退室の管理を行なう利用者４に関する情報を保持するデータベースであり、登録機能ブロック２２と照合機能ブロック２３は、この利用者データベース２４を利用して、登録機能、照合機能を実行する。
【００２７】
利用者データベース２４は、図４に示すデータベース構造２５を有する。このデータベース構造２５は、利用者４のそれぞれについて、１行のレコード２６を有し、このレコード２６には、利用者ＩＤ情報５１、認証媒体ＩＤ情報５２、顔認証情報５３、通行有効期限情報５４、通行権限情報５５が含まれる。
【００２８】
利用者ＩＤ５１は、各利用者４に一意に割当られたＩＤ番号である。認証媒体ＩＤ情報５２は、利用者４が入退室または顔画像情報の登録のために用いる認証媒体１１に記録された一意なＩＤ番号である。なお、この認証媒体ＩＤ情報５２を利用者ＩＤ５１として使用することもできる。
顔認証情報５３は、顔認証のために必要な、利用者４の顔画像から得られた認証情報である。通行有効期間情報５４は、利用者４の認証媒体の有効期間を表わす情報であり、開始日と終了日を含む。通行権限情報５５は、利用者４が、制御装置１０が制御する扉の中のどの扉をいつ通行できるかについて定めた情報であり、各扉毎に、通行可能な曜日、時間などを定めている。
【００２９】
次に管理拠点１に設置された管理端末１００について、図３を参照して具体的に説明する。この管理端末１００は、管理装置５、表示手段４０、キーボード４１、マウス４２、管理データベース４３を含んでいる。この管理端末１００は、管理装置５を中心に構成される。管理装置５はコンピュータを用いて構成され、ネットワーク６通じて、利用拠点２の制御装置１０の登録機能ブロック２２に接続される。表示手段４０、キーボード４１、マウス４２および管理データベース４３は、管理装置５に接続される。
【００３０】
管理データベース４３は、図５の示すデータベース構造４５を有する。このデータベース構造４５は、利用者４のそれぞれについて、１行のレコード４６を有し、このレコード４６には、図４に示した利用者ＩＤ情報５１、認証媒体ＩＤ情報５２、顔認証情報５３、通行有効期間情報５４、通行権限情報５５とともに、登録有効期間情報６１、登録有効回数情報６２、照合用顔画像情報６３、および登録用顔画像情報６４が含まれる。
【００３１】
登録有効期間情報６１は、登録を希望する利用者４に対して登録有効期間を指定する情報であり、開始日と終了日とを含む。登録有効回数情報６２は、同じく登録を希望する利用者４に対して登録有効回数を指定する数字情報であり、登録有効回数Ｎ回を指定する。これらの登録有効期間情報６１と登録有効回数情報６２は、登録を希望する利用者４に対し、管理者３から予め指定され、管理データベース４３に記録される。
【００３２】
照合用顔画像情報６３は、登録を希望する利用者４について予め顔画像を撮影し、この顔画像を照合用顔画像情報６３として予め管理データベース４３に記録したものである。登録用顔画像情報６４は、登録を希望する利用者４が、利用拠点２に位置した状態で、カメラ１２によりその利用者４の顔画像を撮影し、これが制御装置１０の顔検出機能ブロック２１、登録機能ブロック２２、ネットワーク６を介して管理装置５に送られ、管理データベース４３に記録される。
【００３３】
さて、実施の形態１の動作について、図６〜図９を参照して説明する。まず、登録済みの利用者４に対する照合機能を、図６を参照して説明する。この図６に示す照合機能は、利用拠点２において、制御装置１０の照合機能ブロック２３を中心にして実行される。この照合機能は登録済みの利用者４を確認する機能である。
【００３４】
この照合機能には、ＩＤ番号による照合機能と、顔画像による照合機能とを含む。図６は、ＩＤ番号による照合機能を示す。このＩＤ番号による照合機能は、認証媒体読取手段１３またはこれに代わる認証情報入力手段からのＩＤ番号、バーコードまたは暗証番号を利用するが、認証媒体１１から読取った認証媒体ＩＤ情報５２を利用するものを例として説明する。この図６の照合機能は、開始に続く９つのステップＳＴ１からＳＴ９を含む。最初のステップＳＴ１はＩＤ番号が入力されたかどうかを判定するステップであり、その判定結果が「はい」ならば次のステップＳＴ２に進む。ステップＳＴ１の判定結果が「いいえ」ならば、最初に戻る。
【００３５】
ステップＳＴ２では、入力されたＩＤ番号を、利用者データベース２４の認証媒体ＩＤ５２から検索し、次のステップＳＴ３へ進む。ステップＳＴ３では、入力されたＩＤ番号が、認証媒体ＩＤ５２の中で見つかったかどうかが判定される。ステップＳＴ３の判定結果が「いいえ」ならば、ステップＳＴ４に進む。このステップＳＴ４は、照合失敗として、最初に戻る。ステップＳＴ３の判定結果が「はい」ならば、次のステップＳＴ５に進む。
【００３６】
ステップＳＴ５では、入力されたＩＤ番号に対応する通行有効期間情報５４および通行権限情報５５が、扉１４の通行条件を満たしているかを調べ、次のステップＳＴ６に進む。ステップＳＴ６では、通行有効期限情報５４と通行権限５５が、扉１４の通行条件を満たしているかどうかが判定される。ステップＳＴ６の判定結果が「いいえ」ならばステップＳＴ７に進み、このステップＳＴ７は照合失敗として最初に戻す。ステップＳＴ６の判定結果が「はい」ならば、次のステップＳＴ８に進む。ステップＳＴ８では照合成功とし、照合結果表示灯３２で照合成功を表示し、次のステップＳＴ９で電気錠１５の開錠を行った後、最初に戻す。
【００３７】
図７は顔画像による照合機能を示す。この図７の照合機能は、開始に続く９つのステップＳＴ２０〜ＳＴ２８を含む。最初のステップＳＴ２０は顔画像が入力されたかどうかを判定するステップであり、その判定結果が「はい」ならば次のステップＳＴ２１に進む。ステップＳＴ２０の判定結果が「いいえ」ならば、最初に戻る。
【００３８】
ステップＳＴ２１では、入力された顔画像と合致する顔認証情報５３を、利用者データベース２４から検索し、次のステップＳＴ２２へ進む。ステップＳＴ２２では、入力された顔画像と合致する顔認証情報６３が見つかったかどうかが判定される。ステップＳＴ２２の判定結果が「いいえ」ならば、ステップＳＴ２３に進む。このステップＳＴ２３は、照合失敗として、最初に戻る。ステップＳＴ２２の判定結果が「はい」ならば、次のステップＳＴ２４に進む。
【００３９】
ステップＳＴ２４では、入力された顔画像に対応する通行有効期間情報５４および通行権限情報５５が、扉１４の通行条件を満たしているかを調べ、次のステップＳＴ２５に進む。ステップＳＴ２５では、通行有効期限情報５４と通行権限５５が、扉１４の通行条件を満たしているかどうかが判定される。ステップＳＴ２５の判定結果が「いいえ」ならばステップＳＴ２６に進み、このステップＳＴ２６は照合失敗として最初に戻す。ステップＳＴ２５の判定結果が「はい」ならば、次のステップＳＴ２７に進む。ステップＳＴ２７では照合成功とし、照合結果表示灯３２で照合成功を表示し、次のステップＳＴ２８で電気錠１５の開錠を行った後、最初に戻す。
【００４０】
実施の形態１は、照合機能が、図６に示すＩＤ番号による照合機能と、図７に示す顔画像による照合機能の２つの照合機能を有し、これらの２つの照合機能により、それぞれ扉１４の開錠を行なうようにしているが、これらの２つの照合機能を統合し、ＩＤ番号による照合がステップＳＴ８で照合成功となり、且つ顔画像による照合がステップＳＴ２７で照合成功となった場合に限り、電気錠１５の開錠を行なうようにすることもできる。
【００４１】
次に、この発明の特徴である登録機能について図８、図９を参照して説明する。この登録機能は、登録を希望する利用者４が利用拠点２に存在する状態で、制御装置１０の登録機能ブロック２２が、管理装置５を通じて管理データベース４３の登録有効期間情報６１と登録有効回数情報６２を参照しながら実行する。
【００４２】
まず図８は、利用拠点２における制御装置１０の登録機能ブロック２２が実行する登録機能を示す。この図８に示す登録機能は、開始に続く７つのステップＳＴ４０〜ＳＴ４６を含む。最初のステップＳＴ４０では、登録スイッチ３０が押し下げされたかどうかが判定される。このステップＳＴ４０の判定結果が「いいえ」ならば最初に戻る。ステップＳＴ４０の判定結果が「はい」ならば、次のステップＳＴ４１に進む。
【００４３】
ステップＳＴ４１では、登録機能ブロック２２が、認証情報読取機能ブロック２０から、登録を希望する利用者４のＩＤ番号５２を受信し、次のステップＳＴ４２に進む。ステップＳＴ４２では、登録機能ブロック２２が、顔検出機能ブロック２１から、登録を希望する利用者４の登録用顔画像６４を受信し、次のステップＳＴ４３に進む。ステップＳＴ４３では、登録機能ブロック２２が、ネットワーク６を通じて、登録を希望する利用者４のＩＤ番号５２を管理装置５に送信し、管理装置５に登録可否の問合せを行う。
【００４４】
次のステップＳＴ４４では、登録機能ブロック２２が、ネットワーク６を通じて、管理装置５からの登録可否の応答を受信し、次のステップＳＴ４５に進む。ステップＳＴ４５では、その応答が登録可であるかどうかが判定される。このステップＳＴ４５の判定結果が「いいえ」であれば、最初に戻す。その判定結果が「はい」ならば、登録機能ブロック２２が、利用者データベース２４に対して、登録を希望する利用者４のレコード２６に、その利用者４のＩＤ番号５２に対応して、その利用者４の登録用顔画像情報６４から得られた顔認証情報５３を記録し、併せて登録結果表示灯３１に登録成功を表示し、登録を完了する。
【００４５】
その利用者４の顔画像から得られた顔認証情報５３が記録された後は、制御装置１０の照合機能ブロック２３により、図７に示した通り、その利用者４の顔画像と顔認証情報５３との合致を照合することにより、入退室管理が実行される。
【００４６】
図９は、図８に示す登録機能に対応する管理装置５の動作を示す。この図９に示す動作は、開始に続く６つのステップＳＴ６０〜ＳＴ６５を含む。最初のステップＳＴ６０では、管理装置５がネットワーク６を通じて、制御装置１０の登録機能ブロック２２からの登録可否の問合せを受信し、次のステップＳＴ６１に進む。ステップＳＴ６１では、登録可否の問合せに含まれる、登録を希望する利用者４のＩＤ番号５２から、それに対応した登録有効期間情報６１と登録有効回数情報６２を調べ、次のステップＳＴ６２に進む。
【００４７】
ステップＳＴ６２では、その登録有効期間情報６１と登録有効回数情報６２が登録に有効かどうかが判定される。具体的には、その登録有効期間情報６１が有効かどうかを判定し、併せてその登録有効回数Ｎが１以上かどうかを判定し、登録有効期間情報６１が有効であり、且つ登録有効回数Ｎが１以上であれば「はい」を、またそうなければ「いいえ」と判定する。ステップＳＴ６２の判定結果が「はい」ならば、次のステップＳＴ６３に進む。
【００４８】
ステップＳＴ６３では、登録有効回数情報６２に対し、その登録有効回数Ｎから１を差し引き、次のステップＳＴ６４に進む。ステップＳＴ６３で登録有効回数Ｎから１が差し引かれることにより、登録有効回数が制限される結果になる。このステップＳＴ６４では、管理装置５が、制御装置１０の登録機能ブロック２２に対し、ネットワーク６を通じて登録可の応答を送信した後、最初に戻る。ステップＳＴ６２の判定結果が「いいえ」ならば、ステップＳＴ６５へ進み、登録不可の応答を行った後、最初に戻す。
【００４９】
実施の形態１では、登録を希望する利用者が、予め管理者３に登録の申請を行い、管理者３がその利用者４に対する管理データベース４３のレコード４６を新設し、このレコード４６に認証媒体ＩＤ５２または利用者ＩＤ情報５１を記録し、登録有効期間情報６１と登録有効回数情報６２を記録し、併せて利用者データベース２４にもその利用者４に対するレコード２６を新設し、このレコード２６にも認証媒体ＩＤ５２または利用者ＩＤ情報５１を記録することにより、登録を行なうことができる。この登録は、登録を希望する利用者４が利用拠点２に存在する状態で、管理者３の立会いを不要として、簡単に行なうことができる。
【００５０】
しかも、登録を希望する利用者４に対して、登録有効期間情報６１と、登録有効回数情報６２を指定し、登録有効期間と登録有効回数とが登録条件を満足する場合に限り、登録を行なうようにしているので、不正に認証媒体または認証番号を取得した他の利用者が、正当な利用者に成りすまして顔認証情報５３を登録し、その後もその顔認証情報５３を利用して不正に入退室を行ない得るという問題を解決できる。
【００５１】
不正に認証媒体１１を拾得したとしても、その登録有効期間情報６１と登録有効回数情報６２が、登録条件を満足しなければ、その利用者に対する顔認証情報５３の登録は拒否される。登録有効期間情報６１を短く制限し、また登録有効回数Ｎを小さく設定することにより、認証媒体または認証番号を不正に取得した利用者の顔認証情報５３の登録を拒否することができる。
【００５２】
なお、実施の形態１では、登録有効期間情報６１と登録有効回数情報６２をともに管理データベース４３に記録するようにしたが、これらの登録有効期間情報６１と登録有効回数情報６２をともに利用拠点２のおける利用者データベース２４のレコード２６に記録するように構成することもできる。この場合には、認証・登録端末２００において、登録有効期間情報６１と登録有効回数情報６２が登録条件を満足するかどうかを調べて、その利用者４の顔認証情報５３を登録できるので、登録作業をより迅速に行なうことができる。
【００５３】
実施の形態２．
この実施の形態２は、この発明の第２の観点に対応する実施の形態である。実施の形態１は、利用者に対する登録有効期間情報６１と登録有効回数情報６２を指定して、登録有効期間と登録有効回数が登録条件を満足する場合に限り、利用者の顔認証情報５３の登録を行なうものであるが、この実施の形態２は、これに加えて、利用者について予め照合用顔画像情報６３を記録しておき、利用者が利用拠点２で撮影した登録用顔画像情報６４と照合用顔画像情報６４とが一致した場合に限り、顔認証情報５３の登録を行なうようにしたものである。その他は実施の形態１と同じに構成される。
【００５４】
図１０は、この実施の形態２の管理装置５の動作を示すフローチャートである。この図１０の管理装置５の動作は、図８に示した制御装置１０の登録機能ブロック２２による登録機能に対応する。図１０に示すフローチャートは、開始に続く１０個のステップＳＴ８０からＳＴ８９を含む。
【００５５】
最初のステップＳＴ８０では、ネットワーク６を介して、登録機能ブロック２２からの登録可否の問合せを受信する。この問合せとともに、登録を希望する利用者４の認証媒体ＩＤ情報５２、およびその利用者をカメラ１２で撮影した登録用顔画像情報６４も、管理装置５に送信される。次のステップＳＴ８１は実施の形態２の特徴的なステップである。このステップＳＴ８１では、登録機能ブロック２２からの問合せとともに受信した登録用顔画像情報６４を、その利用者４について予め記録しておいた照合用顔画像情報６３と比較するために、登録用顔画像情報６４と照合用顔画像情報６３とを並べて、表示手段４０に表示する。
【００５６】
具体的には、このステップＳＴ８１では、まず登録を希望する利用者４の認証媒体ＩＤ情報５２に基づいて、管理データベース４３がアクセスされ、その利用者４に対応するレコード４６が選択される。この選択されたレコード４６に対して、登録用顔画像情報６４を記憶した後、レコード４６に含まれる登録用顔画像情報６４と照合用顔画像情報６３とが並べて表示手段４０に表示される。
【００５７】
照合用顔画像情報６３は、登録を希望する利用者４について管理者３が予めその顔画像を撮影し、管理データベース４３の照合用顔画像情報６３として記録したものである。この照合用顔画像情報６３と、利用拠点２において利用者４を改めてカメラ１２により撮影した登録用顔画像情報６４とを、表示装置４０上で並べて表示することにより、利用者４が登録を希望した本人であるかどうかを、管理者３がより正確に確認することができる。
【００５８】
次のステップＳＴ８２では、図９のステップＳＴ６１と同様に、登録有効期間情報６１および登録有効回数情報６２を調べ、次のステップＳＴ８３に進む。このステップＳＴ８３では、登録有効期間情報６１と登録有効回数情報６２がともに有効かどうかが判定され、その判定結果が「いいえ」ならば、ステップＳＴ８４に進み、ネットワーク６を介して、登録機能ブロック２２へ登録不可の応答を行ない、最初に戻す。
【００５９】
登録有効期限情報６１と登録有効回数情報６２がともに登録条件を満足するときには、ステップＳＴ８３の判定結果が「はい」となり、次のステップＳＴ８５に進む。このステップＳＴ８５では、入力手段であるキーボード４１またはマウス４２から入力される「合格」または「不合格」の入力を受け付け、次のステップＳＴ８６に進む。ステップＳＴ８５では、ステップＳＴ８１において表示手段４０に並べて表示された登録用顔画像情報６４と照合用顔画像情報６３とを管理者３が比較し、両者が一致しておれば「合格」、両者が相違しれおれば「不合格」の入力が、キーボード４１またはマウス４２を用いて入力される。
【００６０】
ステップＳＴ８６では、入力結果が「合格」であったかどうかが判定される。その判定結果が「いいえ」ならば、ステップＳＴ８７に進み、ネットワーク６を介して登録機能ブロック２２へ登録不可の応答を行ない、最初に戻す。ステップＳＴ８６の判定結果が「はい」ならば、次のステップＳＴ８８に進む。このステップＳＴ８８では、登録有効回数情報６２の登録有効回数Ｎから１を差し引く。次のステップＳＴ８９では、ネットワーク６を介して登録機能ブロック２２へ、登録可の応答を行なう。
【００６１】
実施の形態２では、管理拠点１の表示手段４０に、登録用顔画像情報６４と照合用顔画像情報６３とが並べて表示され、これらを比較した比較結果に応じて、登録用顔画像情報６４が照合用顔画像情報６３との一致が入力された場合に限り、登録用顔画像情報６４に基づく顔認証情報５３が利用者データベース２４および管理データベース４３に登録される。登録用顔画像情報６４と照合用顔画像情報６３との照合により、認証媒体または認証番号を不正に取得した利用者の顔認証情報５３の登録を拒否することができる。
【００６２】
実施の形態３．
この実施の形態３は、この発明の第３の観点に対応する実施の形態である。実施の形態１は、利用者に対する登録有効期間情報６１と登録有効回数情報６２を指定して、登録有効期間情報６１と登録有効回数情報６２が登録条件を満足する場合に限り、利用者の顔認証情報５３の登録を行うものであるが、この実施の形態３は、これに加えて、一旦顔認証情報５３が登録された利用者４について、管理者３が管理装置５を利用して確認操作を行い、その利用者４の登録用顔画像情報６４を照合用顔画像情報６３と照合し、その照合の結果、両者の不一致が入力された場合に、顔認証情報５３を抹消するようにしたものである。照合用顔画像情報６３は、実施の形態２と同様に、登録を希望する利用者４について管理者３が予めその顔画像を撮影し、管理データベース４３に照合用顔画像情報６３として記録したものである。その他は、実施の形態１と同様に構成される。
【００６３】
図１１は、実施の形態３による管理装置５の確認操作を示すフローチャートである。この確認操作は、開始に続く５つのステップＳＴ１００からＳＴ１０４を含む。最初のステップＳＴ１００では、管理装置５の入力手段であるキーボード４１またはマウス４２から、確認操作の対象となる利用者ＩＤ番号５１が入力される。管理装置５は、管理データベース４３をアクセスし、この入力された利用者ＩＤ番号５１に対応するレコード４６を検索し、次のステップＳＴ１０１に進む。
【００６４】
ステップＳＴ１０１では、検索されたレコード４６の含まれる登録用顔画像情報６４と照合用顔画像情報６３とを表示手段４０上に並べて表示する。次のステップＳＴ１０２では、管理者３は表示手段４０上の登録用顔画像情報６４と照合用顔画像情報６３を照合し、その照合結果が入力手段であるキーボード４１またはマウス４２から入力される。両顔画像情報６３、６４が一致しておれば「合格」、そうでなければ「不合格」の入力はなされる。
【００６５】
次のステップＳＴ１０３では、照合結果が「不合格」であったかどうかが判定される。その判定結果が「いいえ」ならば、そのまま最初に戻される。登録用顔画像情報６４が照合用顔画像情報６３と一致せず、「不合格」が入力された場合には、ステップＳＴ１０３の判定結果は「はい」となり、次のステップＳＴ１０４に進む。このステップＳＴ１０４では、制御装置１０の登録機能ブロック２２に対し、「登録抹消要求」が送信される。この「登録抹消要求」には、その利用者のＩＤ番号情報５１が付加される。
【００６６】
図１２は、制御装置１０の登録機能ブロック２２に付加される登録抹消機能を示すフローチャートである。この登録抹消機能は、開始に続く３つのステップＳＴ１２０からＳＴ１２２を含む。
【００６７】
最初のステップＳＴ１２０では、制御装置１０の登録機能ブロック２２が、管理装置５からの「登録抹消要求」を受信し、次のステップＳＴ１２１に進む。このステップＳＴ１２１は、利用者データベース４３にアクセスし、「登録抹消要求」に付加されたその利用者のＩＤ番号情報５１から、それに対応するレコード２６を検索する。
【００６８】
次のステップＳＴ１２２では、検索されたレコード２６から、それに含まれる顔認証情報５３を削除する（空にする）。
【００６９】
この実施の形態３は、利用者に対する顔認証情報５３の記録後に、表示手段４０に登録用顔画像情報６４と照合用顔画像情報６３とを並べて表示し、それらの不一致が入力された場合に、顔認証情報５３を抹消するようにしたので、認証媒体または認証番号を不正に取得した利用者の顔画像の登録を拒否することができる。
【産業上の利用可能性】
【００７０】
この発明による顔画像情報の登録システムは、例えばビルにおける入退室管理システムとして利用できる。
【図面の簡単な説明】
【００７１】
【図１】図１はこの発明の顔画像情報の登録システムの実施の形態１の全体を示す構成図。
【図２】実施の形態１における認証・登録端末を示す構成図。
【図３】実施の形態１における管理端末を示す構成図。
【図４】実施の形態１における利用者データベースの構成図。
【図５】実施の形態１における利用者データベースの構成図。
【図６】実施の形態１におけるＩＤ番号による照合機能を示すフローチャート。
【図７】実施の形態１における顔画像による照合機能を示すフローチャート。
【図８】実施の形態１における登録機能を示すフローチャート。
【図９】実施の形態１における管理装置の動作を示すフローチャート。
【図１０】図１０はこの発明による顔画像情報の登録システムの実施の形態２における管理装置の動作を示すフローチャート。
【図１１】図１１はこの発明による顔画像情報の登録システムの実施の形態３における管理装置の確認操作を示すフローチャート。
【図１２】図１２は実施の形態３における制御装置の登録抹消動作を示すフローチャート。
【符号の説明】
【００７２】
１：管理拠点、３：管理者、１００：管理端末、５：管理装置、６：ネットワーク、
２：利用拠点、４：利用者、２００：認証・登録端末、１０：制御装置、
１１：認証媒体、１２：カメラ、１３：認証媒体確認手段、１４：扉、１５：電気錠、
２０：認証媒体読取り機能ブロック、２１：顔検出機能ブロック、
２２：登録機能ブロック、２３：照合機能ブロック、３０：登録スイッチ、
６１：登録有効期間情報、６２：登録有効回数情報、６３：照合用顔画像情報、
６４：登録用顔画像情報。
【図１】
2006190137.tif 000003
【図２】
2006190137.tif 000004
【図３】
2006190137.tif 000005
【図４】
2006190137.tif 000006
【図５】
2006190137.tif 000007
【図６】
2006190137.tif 000008
【図７】
2006190137.tif 000009
【図８】
2006190137.tif 000010
【図９】
2006190137.tif 000011
【図１０】
2006190137.tif 000012
【図１１】
2006190137.tif 000013
【図１２】
2006190137.tif 000014